【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
距離に関する情報を検出する測距エリアに対応するエリアを照明する補助光用照明、および、ストロボ撮影に先立って撮影画面エリアに位置する被写体に向けて赤目現象を緩和する為の赤目緩和用照明に兼用される照明手段と、該照明手段を制御する制御手段とを有し、
前記制御手段は、前記補助光用照明使用時と、前記赤目緩和用照明使用時とで前記照明手段を駆動する為の駆動電流の値を異ならせることを特徴とするカメラ用照明装置。
【請求項２】
前記制御手段は、前記補助光用照明使用時の駆動電流値を、前記赤目緩和用照明使用時の駆動電流値よりも大きくして、前記補助光用照明を前記赤目緩和用照明よりも明るくすることを特徴とする請求項１に記載のカメラ用照明装置。
【請求項３】
前記制御手段は、前記赤目緩和用照明の到達距離よりも前記補助光用照明の到達距離が遠くなるように、前記補助光用照明使用時の駆動電流値を設定することを特徴とする請求項１に記載のカメラ用照明装置
【請求項４】
前記制御手段は、ストロボ撮影時のストロボ光到達距離よりも、前記補助光用照明の到達距離が遠くになるように、前記補助光用照明使用時の駆動電流値を設定することを特徴とする請求項１に記載のカメラ用照明装置
【請求項５】
距離に関する情報を検出する測距エリアに対応するエリアを照明する補助光用照明、および、ストロボ撮影に先立って撮影画面エリアに位置する被写体に向けて赤目現象を緩和する為の赤目緩和用照明に兼用される照明手段と、該照明手段を制御する制御手段とを有し、
前記補助光用照明と前記赤目緩和用照明は、それぞれのエリアの輝度が異なる配光パターンにて照明光が投射されるものであることを特徴とするカメラ用照明装置。
【請求項６】
前記測距エリアに対応するエリアへの前記補助光用照明の輝度が、前記測距エリアに対応するエリアを除いた撮影画面エリアに対応するエリアへの前記赤目緩和用照明の輝度に対して、高くなるような配光パターンとすることを特徴とする請求項５に記載のカメラ用照明装置。
【請求項７】
前記測距エリアに対応するエリアへの前記補助光用照明の到達距離が、前記測距エリアに対応するエリアを除いた撮影画面エリアに対応するエリアへの前記赤目緩和用照明の到達距離よりも遠くになるような配光パターンとすることを特徴とする請求項５に記載のカメラ用照明装置。
【請求項８】
前記補助光用照明は前記測距エリアに対応するエリアの一部を照明するものであることを特徴とする請求項５に記載のカメラ用照明装置。
【請求項９】
前記測距エリアに対応するエリアの一部への前記補助光用照明の輝度が、前記測距エリアに対応するエリアの一部を除いた撮影画面エリアに対応するエリアへの前記赤目緩和用照明の輝度に対して、高くなるような配光パターンとすることを特徴とする請求項８に記載のカメラ用照明装置。
【請求項１０】
ストロボ撮影時のストロボ光到達距離よりも、前記補助光用照明の到達距離が遠くになるような配光パターンに設定されることを特徴とする請求項７に記載のカメラ用照明装置。
【請求項１１】
距離に関する情報を検出する測距エリアに対応するエリアを照明する補助光用照明、および、ストロボ撮影に先立って撮影画面エリアに位置する被写体に向けて赤目現象を緩和する為の赤目緩和用照明に兼用される照明手段と、該照明手段を制御する制御手段とを有し、
前記照明手段は複数の発光素子を有し、該複数のうちの所定の発光素子を用いることで、前記補助光用照明を行い、前記複数の発光素子全てもしくはその一部を用いることで、前記赤目緩和用照明を行い、それぞれの照明の輝度が異なるような配光パターンとすることを特徴とするカメラ用照明装置。
【請求項１２】
前記赤目緩和用照明の配光角を、前記補助光用照明の配光角よりも広くしたことを特徴とする請求項１１に記載のカメラ用照明装置。
【請求項１３】
前記補助光用照明を行う前記発光素子に対する駆動電流の値を、前記赤目緩和用照明を行う前記発光素子に対する駆動電流の値よりも大きくすることを特徴とする請求項１１又は１２に記載のカメラ用照明装置。
【請求項１４】
前記照明手段は、前記複数の測距エリアそれぞれに対応するエリアに対して前記各照明を行う、前記測距エリアの数よりも少ない複数の発光素子を有し、前記制御手段は、前記複数の発光素子の中より、選択される測距エリアに対応するエリアを照明する為の発光素子を選択することを特徴する請求項１１に記載のカメラ用照明装置。
【請求項１５】
前記制御手段は、選択された前記測距エリアにて測距動作が行われる期間のみ、選択した前記発光素子により前記補助光用照明を行うことを特徴とする請求項１４に記載のカメラ用照明装置。
【請求項１６】
前記制御手段は、撮影レンズの焦点距離に応じて選択される測距エリアに対応した発光素子を、複数の中より選択することを特徴とする請求項１４又は１５に記載のカメラ用照明装置。
【請求項１７】
前記複数の発光素子は、同一のチップ上に構成されていることを特徴とする請求項１１〜１６の何れかに記載のカメラ用照明装置。
【請求項１８】
請求項１〜１７の何れかに記載のカメラ用照明装置を具備したことを特徴とするカメラ。
【手続補正２】
【補正対象書類名】明細書
【補正対象項目名】００１３
【補正方法】変更
【補正の内容】
【００１３】
【課題を解決するための手段】上記第１の目的を達成するために、請求項１〜４に記載の発明は、距離に関する情報を検出する測距エリアに対応するエリアを照明する補助光用照明、および、ストロボ撮影に先立って撮影画面エリアに位置する被写体に向けて赤目現象を緩和する為の赤目緩和用照明に兼用される照明手段と、該照明手段を制御する制御手段とを有し、前記制御手段が、前記補助光用照明使用時と、前記赤目緩和用照明使用時とで前記照明手段を駆動する為の駆動電流の値を異ならせるカメラ用照明装置とするものである。
【手続補正３】
【補正対象書類名】明細書
【補正対象項目名】００１４
【補正方法】変更
【補正の内容】
【００１４】
また、上記第２の目的を達成するために、請求項５〜１０に記載の発明は、距離に関する情報を検出する測距エリアに対応するエリアを照明する補助光用照明、および、ストロボ撮影に先立って撮影画面エリアに位置する被写体に向けて赤目現象を緩和する為の赤目緩和用照明に兼用される照明手段と、該照明手段を制御する制御手段とを有し、前記補助光用照明と前記赤目緩和用照明が、それぞれのエリアの輝度が異なる配光パターンにて照明光が投射されるものであるカメラ用照明装置とするものである。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、上記第１及び第２の目的を達成するために、請求項１１〜１７に記載の発明は、距離に関する情報を検出する測距エリアに対応するエリアを照明する補助光用照明、および、ストロボ撮影に先立って撮影画面エリアに位置する被写体に向けて赤目現象を緩和する為の赤目緩和用照明に兼用される照明手段と、該照明手段を制御する制御手段とを有し、前記照明手段が複数の発光素子を有し、該複数のうちの所定の発光素子を用いることで、前記補助光用照明を行い、前記複数の発光素子全てもしくはその一部を用いることで、前記赤目緩和用照明を行い、それぞれの照明の輝度が異なるような配光パターンとするカメラ用照明装置とするものである。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
また、上記第１及び第２の目的を達成するために、請求項１８に記載の発明は、請求項１〜１７の何れかに記載のカメラ用照明装置を具備するカメラとするものである。
【手続補正８】
【補正対象書類名】明細書
【補正対象項目名】００３５
【補正方法】変更
【補正の内容】
【００３５】
図４のタイミングチャートでは、Ａの位置およびＢの位置での照明の明るさは
Ｓａ＞Ｓａ’，Ｓｂ＞Ｓｂ’
という関係になる。
【手続補正９】
【補正対象書類名】明細書
【補正対象項目名】００３６
【補正方法】変更
【補正の内容】
【００３６】
以上のように、本発明の実施の第１の形態によれば、被写界が暗いもしくは被写体のコントラストが無い為に測距動作中に行うＡＦ補助光用照明と、ストロボ撮影に先立って赤目現象を緩和する為に行う（同じ撮影準備動作中（つまり前記測距動作に続けて）行われることになる）赤目緩和用照明とを、一つの照明装置を兼用して行うに際して、従来の様に各照明の切り換えを瞬時に行うことができないメカニカルな可動部を用いることなく、照明装置２への照明電流を切り換えることでのみ、行うようにしている。
【手続補正１０】
【補正対象書類名】明細書
【補正対象項目名】００４８
【補正方法】変更
【補正の内容】
【００４８】
以上のように、本発明の実施の第２の形態によれば、被写界が暗いもしくは被写体のコントラストが無い為に測距動作中に行うＡＦ補助光用照明と、ストロボ撮影に先立って赤目現象を緩和する為に行う（同じ撮影準備動作中（つまり測距動作に続けて）行われることになる）赤目緩和用照明とを、一つの照明装置を兼用して行うに際して、従来の様にメカニカルな可動部を用いることなく、図９等で後述する様に照明装置の構成要素である光学系の形状を工夫したり、発光素子と集光部材の位置関係を調整することで、照明装置２の配光パターンを変えることによって、適切な照明としている。
【手続補正１１】
【補正対象書類名】明細書
【補正対象項目名】００５２
【補正方法】変更
【補正の内容】
【００５２】
図７は、図２と同様に、本発明の実施の第３の形態において、撮影レンズから見た被写体側、あるいはファインダを覗いた時を示す図であり、同図を用いて、撮影画面とストロボ配光、赤目緩和用照明の配光、ＡＦ補助光用照明の配光、測距エリア等の関係について説明する。
【手続補正１２】
【補正対象書類名】明細書
【補正対象項目名】００５３
【補正方法】変更
【補正の内容】
【００５３】
図７において、１０は撮影画面に相当する撮影エリアであり、その中心部に測距エリア１１が位置する。また、撮影エリア１０をカバーするようにその外側にストロボ配光１２（図２参照）が位置する。赤目緩和用照明の配光１３は、この例では撮影エリア１０の内部にその全体を覆うような配光となっている。また、ＡＦ補助光用照明の配光１４は測距エリア１１の一部（この場合には中央部）をカバーするような配光となっている。
【手続補正１３】
【補正対象書類名】明細書
【補正対象項目名】００５５
【補正方法】変更
【補正の内容】
【００５５】
以上のように、本発明の実施の第３の形態によれば、被写界が暗いもしくは被写体のコントラストが無い為に測距動作中に行うＡＦ補助光用照明と、ストロボ撮影に先立って赤目現象を緩和する為に行う（同じ撮影準備動作中（測距動作に続けて）行われることになる）赤目緩和用照明とを、一つの照明装置を兼用して行うに際して、従来の様にメカニカルな可動部を用いることなく、図９等で後述する様に照明装置の構成要素である光学系の形状を工夫したり、発光素子と集光部材の位置関係を調整することで、照明装置２の配光パターンを変えることによって、適切な照明としている。
【手続補正１４】
【補正対象書類名】明細書
【補正対象項目名】００６０
【補正方法】変更
【補正の内容】
【００６０】
図８は、図２と同様に、本発明の実施の第４の形態において、撮影レンズから見た被写体側、あるいはファインダを覗いた時を示す図であり、同図を用いて、撮影画面とストロボ配光、赤目緩和用照明の配光、ＡＦ補助光用照明の配光、測距エリア等の関係について説明する。
【手続補正１５】
【補正対象書類名】明細書
【補正対象項目名】００９９
【補正方法】変更
【補正の内容】
【００９９】
ＬＥＤ１が発光した場合には、赤目緩和用照明の配光は１３−１に示す状態となる。なお、ＡＦ補助光用照明の配光は、赤目緩和用照明配光１３−１と同様であり、１４で示している。また、ＬＥＤ２が発光した場合には、赤目緩和用照明の配光は１３−２で示された状態となり、ＬＥＤ３が発光した場合には、赤目緩和用照明の配光は１３−３で示された状態となる。
【手続補正１６】
【補正対象書類名】明細書
【補正対象項目名】０１１２
【補正方法】変更
【補正の内容】
【０１１２】
以上のように、本発明の実施の第６の形態によれば、被写界が暗いもしくは被写体のコントラストが無い為に測距動作中にＡＦ補助光用照明を行い、かつ、ストロボ撮影に先立って赤目現象を抑える赤目緩和用照明（同じ撮影準備動作中つまり測距動作に続けて）を行う場合、一つの照明装置内の複数の発光素子に対して、ＡＦ補助光用照明時と赤目緩和用照明時で選択する発光素子およびその数を変えることのみで、適切なタイミング（従来の様に可動部材を動かす等の時間的なタイミングロスを無くす、もしくは軽減できるので）で必要な明るさの配光パターンの各照明をリアルタイムに行うことが可能となる。よって、従来の様にメカニカルな可動部を用いる必要もなくなり、スペース的にもコスト的にも非常に有利なものとなる。
【手続補正１７】
【補正対象書類名】明細書
【補正対象項目名】０１１９
【補正方法】変更
【補正の内容】
【０１１９】
ＬＥＤ４が発光した場合には、赤目緩和用照明の配光は１３−４に示す状態となる。なお、ＡＦ補助光用照明の配光は、赤目緩和用照明配光１３−４と同様であり、１４’で示している。また、ＬＥＤ５が発光した場合には、赤目緩和用照明の配光は１３−５で示された状態となり、ＬＥＤ６が発光した場合には、赤目緩和用照明の配光は１３−６で示された状態となる。
【手続補正１８】
【補正対象書類名】明細書
【補正対象項目名】０１４７
【補正方法】変更
【補正の内容】
【０１４７】
（実施の第９の形態）次に、本発明の実施の第９の形態に係るカメラについて説明する。この実施の第９の形態における照明装置は、上記実施の第６の形態等よりも更に多くの発光素子を用いてその配光特性を変える構成のものである。また、この実施の第９の形態におけるカメラは、多点測距機能及びズーム機能（撮影レンズの焦点距離を可変する機能）を有しているものとする。
【手続補正１９】
【補正対象書類名】明細書
【補正対象項目名】０１６７
【補正方法】変更
【補正の内容】
【０１６７】
【発明の効果】以上説明したように、本発明によれば、複雑かつ大型化する可動機構を用いず、撮影準備動作中に行われることになる補助光用と赤目緩和用の照明を一つの照明手段により瞬時に切り換えて行うことができるカメラ用照明装置又はカメラを提供できるものである。
【手続補正２０】
【補正対象書類名】明細書
【補正対象項目名】０１６８
【補正方法】変更
【補正の内容】
【０１６８】
また、本発明によれば、複雑かつ大型化する可動機構を用いず、撮影準備動作中に行われることになる補助光用と赤目緩和用の照明を一つの照明手段により、必要な輝度及び配光にて行えるようにすることができるカメラ用照明装置又はカメラを提供できるものである。